【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
タイミング調整グループ（ＴＡＧ）のセットを識別することと、
各々が物理アップリンク制御チャネル（ＰＵＣＣＨ）送信のためにグループにおいてアグリゲートされたキャリアを有するＰＵＣＣＨセルグループのセットを識別することと、前記ＰＵＣＣＨセルグループは、第１のＰＵＣＣＨセルグループと第２のＰＵＣＣＨセルグループとを備える、
ＴＡＧの前記セットとＰＵＣＣＨセルグループの前記セットとの間の、基地局によって構成された、関連付けに基づいてタイミングアライメントプロシージャを決定することと、
ＴＡＧの前記セットの各ＴＡＧについて時間アライメントタイマを開始することと、
前記時間アライメントタイマが満了したら前記第１または第２のＰＵＣＣＨセルグループのうちの少なくとも１つのサービングセルについて前記タイミングアライメントプロシージャを実施することと、
を備える、方法。
【請求項２】
前記タイミングアライメントプロシージャは、ＰＵＣＣＨイネーブルドセルにおいてＰＵＣＣＨをリリースするように無線リソース制御（ＲＲＣ）コントロールエンティティに通知すること、サウンディング基準信号（ＳＲＳ）をリリースするように前記ＲＲＣコントロールエンティティに通知すること、サービングセルについてハイブリッド自動再送要求（ＨＡＲＱ）バッファをフラッシュすること、サービングセルについてダウンリンク（ＤＬ）割当てをクリアすること、またはサービングセルについてアップリンク（ＵＬ）グラントをクリアすること、のうちの少なくとも１つを備える、請求項１に記載の方法。
【請求項３】
ＰＵＣＣＨセルグループの前記セットとプライマリＴＡＧ（ｐＴＡＧ）との間の関連付けを識別することをさらに備え、
ＴＡＧの前記セットは、前記ｐＴＡＧからなり、
前記方法は特に、
前記ｐＴＡＧについて時間アライメントタイマを開始することと、
前記時間アライメントタイマが満了したら、ＰＵＣＣＨセルグループの前記セットのサービングセルについて、タイミングアライメントプロシージャを実施することと、
をさらに備える、請求項１に記載の方法。
【請求項４】
プライマリＴＡＧ（ｐＴＡＧ）と前記第１のＰＵＣＣＨセルグループとの間の関連付けを識別することと、
ＰＵＣＣＨセカンダリＴＡＧ（ｐｓＴＡＧ）と前記第２のＰＵＣＣＨセルグループとの間の関連付けを識別することと、
をさらに備え、ＴＡＧの前記セットは、前記ｐＴＡＧと前記ｐｓＴＡＧとを備える、
前記方法は特に、
前記ｐＴＡＧについての第１の時間アライメントタイマと、前記ｐｓＴＡＧについての第２の時間アライメントタイマとを開始することと、
前記第１の時間アライメントタイマが満了したら前記第１のＰＵＣＣＨセルグループのサービングセルについて、または前記第２の時間アライメントタイマが満了したら前記第２のＰＵＣＣＨセルグループのサービングセルについて、タイミングアライメントプロシージャを実施することと、
をさらに備える、または、
前記方法は特に、
セカンダリＴＡＧ（ｓＴＡＧ）と前記第１または第２のＰＵＣＣＨセルグループのいずれかとの間の関連付けを識別することをさらに備え、
ＴＡＧの前記セットは、前記ｓＴＡＧを備える、または、
前記方法は特に、
セカンダリＴＡＧ（ｓＴＡＧ）の第１のサービングセルと前記第１のＰＵＣＣＨセルグループとの間の関連付けを識別することと、
前記ｓＴＡＧの第２のサービングセルと前記第２のＰＵＣＣＨセルグループとの間の関連付けを識別することと、
をさらに備え、ＴＡＧの前記セットは、前記ｓＴＡＧを備える、
請求項１に記載の方法。
【請求項５】
基地局におけるワイヤレス通信の方法であって、
ユーザ機器（ＵＥ）のためにプライマリタイミング調整グループ（ｐＴＡＧ）を設定することと、
前記ＵＥのために物理アップリンク制御チャネル（ＰＵＣＣＨ）セルグループのセットを設定することと、ここで、各ＰＵＣＣＨセルグループは、ＰＵＣＣＨ送信のためにグループにおいてアグリゲートされたキャリアを有し、ＰＵＣＣＨセルグループの前記セットは、第１のＰＵＣＣＨセルグループと第２のＰＵＣＣＨセルグループとを備える、
前記ｐＴＡＧのサービングセルの第１のセットを前記第１のＰＵＣＣＨセルグループに関連付けることと、
を備える方法。
【請求項６】
前記ｐＴＡＧのサービングセルの第２のセットを前記第２のＰＵＣＣＨセルグループに関連付けることをさらに備える、請求項５に記載の方法、または、
前記第１のＰＵＣＣＨセルグループおよび前記第２のＰＵＣＣＨセルグループは、前記ＵＥのためのサービングセルからなる、請求項５に記載の方法。
【請求項７】
前記ＵＥのためにＰＵＣＣＨセカンダリタイミング調整グループ（ＴＡＧ）（ｐｓＴＡＧ）を設定することと、
前記ｐｓＴＡＧを前記第２のＰＵＣＣＨセルグループに関連付けることと、
をさらに備える、
前記方法は特に、
前記ＵＥのためにセカンダリＴＡＧ（ｓＴＡＧ）を設定することと、
前記ｓＴＡＧを前記第１または第２のＰＵＣＣＨセルグループのいずれかに関連付けることと、
をさらに備える、または、
前記方法は特に、
前記ＵＥのためにセカンダリＴＡＧ（ｓＴＡＧ）を設定することと、
前記ｓＴＡＧのサービングセルの第１のセットを前記第１のＰＵＣＣＨセルグループに関連付けることと、
前記ｓＴＡＧのサービングセルの第２のセットを前記第２のＰＵＣＣＨセルグループに関連付けることと、
をさらに備える、請求項５に記載の方法。
【請求項８】
前記第１のＰＵＣＣＨセルグループは、プライマリセル（ＰＣｅｌｌ）を備えるサービングセルのセットであり、
前記第２のＰＵＣＣＨセルグループは、ＰＵＣＣＨイネーブルドセカンダリセル（ＰＳＣｅｌｌ）を備えるサービングセルのセットである、
請求項５に記載の方法、または、
前記ｐＴＡＧおよびＰＵＣＣＨセカンダリＴＡＧ（ｐｓＴＡＧ）について時間アライメントタイマを開始することをさらに備える、請求項５に記載の方法、または、
セカンダリＴＡＧ（ｓＴＡＧ）について時間アライメントタイマを開始することをさらに備える、請求項５に記載の方法。
【請求項９】
ユーザ機器（ＵＥ）におけるワイヤレス通信のための装置であって、
タイミング調整グループ（ＴＡＧ）のセットを識別するための手段と、
各々が物理アップリンク制御チャネル（ＰＵＣＣＨ）送信のためにグループにおいてアグリゲートされたキャリアを有するＰＵＣＣＨセルグループのセットを識別するための手段と、前記ＰＵＣＣＨセルグループは、第１のＰＵＣＣＨセルグループと第２のＰＵＣＣＨセルグループとを備える、
ＴＡＧの前記セットとＰＵＣＣＨセルグループの前記セットとの間の、基地局によって構成された関連付けに基づいてタイミングアライメントプロシージャを決定するための手段と、
ＴＡＧの前記セットの各ＴＡＧについて時間アライメントタイマを開始するための手段と、
前記時間アライメントタイマが満了したら前記第１または第２のＰＵＣＣＨセルグループのうちの少なくとも１つのサービングセルについて前記タイミングアライメントプロシージャを実施するための手段と、
を備える、装置。
【請求項１０】
前記タイミングアライメントプロシージャは、ＰＵＣＣＨイネーブルドセルにおいてＰＵＣＣＨをリリースするように無線リソース制御（ＲＲＣ）コントロールエンティティに通知すること、サウンディング基準信号（ＳＲＳ）をリリースするように前記ＲＲＣコントロールエンティティに通知すること、サービングセルについてハイブリッド自動再送要求（ＨＡＲＱ）バッファをフラッシュすること、サービングセルについてダウンリンク（ＤＬ）割当てをクリアすること、またはサービングセルについてアップリンク（ＵＬ）グラントをクリアすること、のうちの少なくとも１つを備える、請求項９に記載の装置。
【請求項１１】
ＰＵＣＣＨセルグループの前記セットとプライマリＴＡＧ（ｐＴＡＧ）との間の関連付けを識別するための手段をさらに備え、
ＴＡＧの前記セットは、前記ｐＴＡＧからなる、
請求項９に記載の装置、または、
プライマリＴＡＧ（ｐＴＡＧ）と前記第１のＰＵＣＣＨセルグループとの間の関連付けを識別するための手段と、
ＰＵＣＣＨセカンダリＴＡＧ（ｐｓＴＡＧ）と前記第２のＰＵＣＣＨセルグループとの間の関連付けを識別するための手段と、
をさらに備え、ＴＡＧの前記セットは、前記ｐＴＡＧと前記ｐｓＴＡＧとを備える、
請求項９に記載の装置、または、
前記第１のＰＵＣＣＨセルグループは、プライマリセル（ＰＣｅｌｌ）を備えるサービングセルのセットであり、
前記第２のＰＵＣＣＨセルグループは、ＰＵＣＣＨイネーブルドセカンダリセル（ＰＳＣｅｌｌ）を備えるサービングセルのセットである、
請求項９に記載の装置。
【請求項１２】
基地局におけるワイヤレス通信のための装置であって、
ユーザ機器（ＵＥ）のためにプライマリタイミング調整グループ（ｐＴＡＧ）を設定するための手段と、
前記ＵＥのために物理アップリンク制御チャネル（ＰＵＣＣＨ）セルグループのセットを設定するための手段と、ここで、各ＰＵＣＣＨセルグループは、ＰＵＣＣＨ送信のためにグループにおいてアグリゲートされたキャリアを有し、ＰＵＣＣＨセルグループの前記セットは、第１のＰＵＣＣＨセルグループと第２のＰＵＣＣＨセルグループとを備える、
前記ｐＴＡＧのサービングセルの第１のセットを前記第１のＰＵＣＣＨセルグループに関連付けるための手段と、
を備える装置。
【請求項１３】
前記ｐＴＡＧのサービングセルの第２のセットを前記第２のＰＵＣＣＨセルグループに関連付けるための手段をさらに備える、請求項１２に記載の装置。
【請求項１４】
前記第１のＰＵＣＣＨセルグループおよび前記第２のＰＵＣＣＨセルグループは、前記ＵＥのためのサービングセルからなる、請求項１２に記載の装置。
【請求項１５】
コンピュータ上で実行されたときに、請求項１乃至８のうちのいずれかに従う方法を実施するための命令を備える、コンピュータプログラム。
【手続補正２】
【補正対象書類名】明細書
【補正対象項目名】０１４４
【補正方法】変更
【補正の内容】
【０１４４】
[0163]  本明細書に記載された技術は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなどの様々なワイヤレス通信システムのために使用され得る。用語「システム」および「ネットワーク」はしばしば交換可能に使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５およびＩＳ−８５６規格をカバーする。ＩＳ−２０００リリース０およびＡは、一般的に、ＣＤＭＡ２０００  １Ｘ、１Ｘ、等と呼ばれる。ＩＳ−８５６（ＴＩＡ−８５６）は、一般的に、ＣＤＭＡ２０００  １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他のバリエーションを含む。ＴＤＭＡシステムは、移動体通信用グローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等の無線技術を実装し得る。ＵＴＲＡおよびＥ−ＵＴＲＡは、ユニバーサルモバイルテレコミュニケーションシステム（ＵＭＴＳ）の一部である。ロングタームエボリューション（ＬＴＥ（登録商標））およびＬＴＥ−アドバンスド（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、および移動体通信用グローバルシステム（ＧＳＭ）は、「第３世代パートナーシッププロジェクト」（３ＧＰＰ（登録商標））という名称の団体による文書で説明されている。ＣＤＭＡ２０００およびＵＭＢは、「第３世代パートナーシッププロジェクト２」（３ＧＰＰ２）という名称の団体からの文書内において説明されている。本明細書で説明される技法は、上述されたシステムおよび無線技術ならびに他のシステムおよび無線技術に対して使用されうる。しかしながら上記の説明は、例示の目的でＬＴＥシステムを説明しており、ＬＴＥ用語が上記の説明のほとんどにおいて使用されているけれども、その技法はＬＴＥアプリケーションを超えて適用可能である。
以下に本願の出願当初の特許請求の範囲に記載された発明を付記する。
［Ｃ１］
ユーザ機器（ＵＥ）におけるワイヤレス通信の方法であって、
タイミング調整グループ（ＴＡＧ）のセットを識別することと、
第１の物理アップリンク制御チャネル（ＰＵＣＣＨ）セルグループと第２のＰＵＣＣＨセルグループとを備える、ＰＵＣＣＨセルグループのセットを識別することと、
ＴＡＧの前記セットとＰＵＣＣＨセルグループの前記セットとの間の関連付けに基づいてタイミングアライメントプロシージャを決定することと、
を備える方法。
［Ｃ２］
ＴＡＧの前記セットの各ＴＡＧについて時間アライメントタイマを開始することと、
前記時間アライメントタイマが満了したら前記第１または第２のＰＵＣＣＨセルグループのうちの少なくとも１つのサービングセルについて前記タイミングアライメントプロシージャを実施することと、
をさらに備える、Ｃ１に記載の方法。
［Ｃ３］
前記タイミングアライメントプロシージャは、ＰＵＣＣＨイネーブルドセルにおいてＰＵＣＣＨをリリースするように無線リソース制御（ＲＲＣ）コントロールエンティティに通知すること、ＳＲＳをリリースするように前記ＲＲＣコントロールエンティティに通知すること、サービングセルについてハイブリッド自動再送要求（ＨＡＲＱ）バッファをフラッシュすること、サービングセルについてダウンリンク（ＤＬ）割当てをクリアすること、またはサービングセルについてアップリンク（ＵＬ）グラントをクリアすること、のうちの少なくとも１つを備える、Ｃ２に記載の方法。
［Ｃ４］
ＰＵＣＣＨセルグループの前記セットとプライマリＴＡＧ（ｐＴＡＧ）との間の関連付けを識別することをさらに備え、
ＴＡＧの前記セットは、前記ｐＴＡＧからなる、
Ｃ１に記載の方法。
［Ｃ５］
前記ｐＴＡＧについて時間アライメントタイマを開始することと、
前記時間アライメントタイマが満了したら、ＰＵＣＣＨセルグループの前記セットのサービングセルについて、タイミングアライメントプロシージャを実施することと、
をさらに備える、Ｃ４に記載の方法。
［Ｃ６］
プライマリＴＡＧ（ｐＴＡＧ）と前記第１のＰＵＣＣＨセルグループとの間の関連付けを識別することと、
ＰＵＣＣＨセカンダリＴＡＧ（ｐｓＴＡＧ）と前記第２のＰＵＣＣＨセルグループとの間の関連付けを識別することと、をさらに備え、
ＴＡＧの前記セットは、前記ｐＴＡＧと前記ｐｓＴＡＧとを備える、
Ｃ１に記載の方法。
［Ｃ７］
前記ｐＴＡＧについての第１の時間アライメントタイマと、前記ｐｓＴＡＧについての第２の時間アライメントタイマとを開始することと、
前記第１の時間アライメントタイマが満了したら前記第１のＰＵＣＣＨセルグループのサービングセルについて、または前記第２の時間アライメントタイマが満了したら前記第２のＰＵＣＣＨセルグループのサービングセルについて、タイミングアライメントプロシージャを実施することと、
をさらに備える、Ｃ６に記載の方法。
［Ｃ８］
セカンダリＴＡＧ（ｓＴＡＧ）と前記第１または第２のＰＵＣＣＨセルグループのいずれかとの間の関連付けを識別することをさらに備え、
ＴＡＧの前記セットは、前記ｓＴＡＧを備える、
Ｃ６に記載の方法。
［Ｃ９］
セカンダリＴＡＧ（ｓＴＡＧ）の第１のサービングセルと前記第１のＰＵＣＣＨセルグループとの間の関連付けを識別することと、
前記ｓＴＡＧの第２のサービングセルと前記第２のＰＵＣＣＨセルグループとの間の関連付けを識別することとをさらに備え、
ＴＡＧの前記セットは、前記ｓＴＡＧを備える、
Ｃ６に記載の方法。
［Ｃ１０］
前記ｐＴＡＧについての第１の時間アライメントタイマと、前記ｐｓＴＡＧについての第２の時間アライメントタイマとを開始することと、
前記第１の時間アライメントタイマが満了したら前記第１のＰＵＣＣＨセルグループに関連付けられたサービングセルについて、または前記第２の時間アライメントタイマが満了したら前記第２のＰＵＣＣＨセルグループに関連付けられたサービングセルについて、時間アライメントプロシージャを実施することと、
をさらに備える、Ｃ９に記載の方法。
［Ｃ１１］
前記第１のＰＵＣＣＨセルグループは、プライマリセル（ＰＣｅｌｌ）を備えるサービングセルのセットであり、
前記第２のＰＵＣＣＨセルグループは、ＰＵＣＣＨイネーブルドセカンダリセル（ＰＳＣｅｌｌ）を備えるサービングセルのセットである、
Ｃ１に記載の方法。
［Ｃ１２］
ＴＡＧの前記セットとＰＵＣＣＨセルグループの前記セットとの間の前記関連付けは、非対称である、Ｃ１に記載の方法。
［Ｃ１３］
基地局におけるワイヤレス通信の方法であって、
ユーザ機器（ＵＥ）のためにプライマリタイミング調整グループ（ｐＴＡＧ）を設定することと、
前記ＵＥのために物理アップリンク制御チャネル（ＰＵＣＣＨ）セルグループのセットを設定することと、ここで、ＰＵＣＣＨセルグループの前記セットは、第１のＰＵＣＣＨセルグループと第２のＰＵＣＣＨセルグループとを備える、
前記ｐＴＡＧのサービングセルの第１のセットを前記第１のＰＵＣＣＨセルグループに関連付けることと、
を備える方法。
［Ｃ１４］
前記ｐＴＡＧのサービングセルの第２のセットを前記第２のＰＵＣＣＨセルグループに関連付けることをさらに備える、Ｃ１３に記載の方法。
［Ｃ１５］
前記第１のＰＵＣＣＨセルグループおよび前記第２のＰＵＣＣＨセルグループは、前記ＵＥのためのサービングセルからなる、Ｃ１３に記載の方法。
［Ｃ１６］
前記ＵＥのためにＰＵＣＣＨセカンダリタイミング調整グループ（ＴＡＧ）（ｐｓＴＡＧ）を設定することと、
前記ｐｓＴＡＧを前記第２のＰＵＣＣＨセルグループに関連付けることと、
をさらに備える、Ｃ１３に記載の方法。
［Ｃ１７］
前記ＵＥのためにセカンダリＴＡＧ（ｓＴＡＧ）を設定することと、
前記ｓＴＡＧを前記第１または第２のＰＵＣＣＨセルグループのいずれかに関連付けることと、
をさらに備える、Ｃ１６に記載の方法。
［Ｃ１８］
前記ＵＥのためにセカンダリＴＡＧ（ｓＴＡＧ）を設定することと、
前記ｓＴＡＧのサービングセルの第１のセットを前記第１のＰＵＣＣＨセルグループに関連付けることと、
前記ｓＴＡＧのサービングセルの第２のセットを前記第２のＰＵＣＣＨセルグループに関連付けることと、
をさらに備える、Ｃ１６に記載の方法。
［Ｃ１９］
前記第１のＰＵＣＣＨセルグループは、プライマリセル（ＰＣｅｌｌ）を備えるサービングセルのセットであり、
前記第２のＰＵＣＣＨセルグループは、ＰＵＣＣＨイネーブルドセカンダリセル（ＰＳＣｅｌｌ）を備えるサービングセルのセットである、
Ｃ１３に記載の方法。
［Ｃ２０］
前記ｐＴＡＧおよびＰＵＣＣＨセカンダリＴＡＧ（ｐｓＴＡＧ）について時間アライメントタイマを開始することをさらに備える、Ｃ１３に記載の方法。
［Ｃ２１］
セカンダリＴＡＧ（ｓＴＡＧ）について時間アライメントタイマを開始することをさらに備える、Ｃ１３に記載の方法。
［Ｃ２２］
ユーザ機器（ＵＥ）におけるワイヤレス通信のための装置であって、
タイミング調整グループ（ＴＡＧ）のセットを識別するための手段と、
第１の物理アップリンク制御チャネル（ＰＵＣＣＨ）セルグループと第２のＰＵＣＣＨセルグループとを備える、ＰＵＣＣＨセルグループのセットを識別するための手段と、
ＴＡＧの前記セットとＰＵＣＣＨセルグループの前記セットとの間の関連付けに基づいてタイミングアライメントプロシージャを決定するための手段と、
を備える装置。
［Ｃ２３］
ＴＡＧの前記セットの各ＴＡＧについて時間アライメントタイマを開始するための手段と、
前記時間アライメントタイマが満了したら前記第１または第２のＰＵＣＣＨセルグループのうちの少なくとも１つのサービングセルについて前記タイミングアライメントプロシージャを実施するための手段と、
をさらに備える、Ｃ２２に記載の装置。
［Ｃ２４］
前記タイミングアライメントプロシージャは、ＰＵＣＣＨイネーブルドセルにおいてＰＵＣＣＨをリリースするように無線リソース制御（ＲＲＣ）コントロールエンティティに通知すること、ＳＲＳをリリースするように前記ＲＲＣコントロールエンティティに通知すること、サービングセルについてハイブリッド自動再送要求（ＨＡＲＱ）バッファをフラッシュすること、サービングセルについてダウンリンク（ＤＬ）割当てをクリアすること、またはサービングセルについてアップリンク（ＵＬ）グラントをクリアすること、のうちの少なくとも１つを備える、Ｃ２３に記載の装置。
［Ｃ２５］
ＰＵＣＣＨセルグループの前記セットとプライマリＴＡＧ（ｐＴＡＧ）との間の関連付けを識別するための手段をさらに備え、
ＴＡＧの前記セットは、前記ｐＴＡＧからなる、
Ｃ２２に記載の装置。
［Ｃ２６］
プライマリＴＡＧ（ｐＴＡＧ）と前記第１のＰＵＣＣＨセルグループとの間の関連付けを識別するための手段と、
ＰＵＣＣＨセカンダリＴＡＧ（ｐｓＴＡＧ）と前記第２のＰＵＣＣＨセルグループとの間の関連付けを識別するための手段と、をさらに備え、
ＴＡＧの前記セットは、前記ｐＴＡＧと前記ｐｓＴＡＧとを備える、
Ｃ２２に記載の装置。
［Ｃ２７］
前記第１のＰＵＣＣＨセルグループは、プライマリセル（ＰＣｅｌｌ）を備えるサービングセルのセットであり、
前記第２のＰＵＣＣＨセルグループは、ＰＵＣＣＨイネーブルドセカンダリセル（ＰＳＣｅｌｌ）を備えるサービングセルのセットである、
Ｃ２２に記載の装置。
［Ｃ２８］
基地局におけるワイヤレス通信のための装置であって、
ユーザ機器（ＵＥ）のためにプライマリタイミング調整グループ（ｐＴＡＧ）を設定するための手段と、
前記ＵＥのために物理アップリンク制御チャネル（ＰＵＣＣＨ）セルグループのセットを設定するための手段と、ここで、ＰＵＣＣＨセルグループの前記セットは、第１のＰＵＣＣＨセルグループと第２のＰＵＣＣＨセルグループとを備える、
前記ｐＴＡＧのサービングセルの第１のセットを前記第１のＰＵＣＣＨセルグループに関連付けるための手段と、
を備える装置。
［Ｃ２９］
前記ｐＴＡＧのサービングセルの第２のセットを前記第２のＰＵＣＣＨセルグループに関連付けるための手段をさらに備える、Ｃ２８に記載の装置。
［Ｃ３０］
前記第１のＰＵＣＣＨセルグループおよび前記第２のＰＵＣＣＨセルグループは、前記ＵＥのためのサービングセルからなる、Ｃ２８に記載の装置。